(57)【要約】【課題】  トナーカートリッジの従来構成を発展させること。【解決手段】  トナーカートリッジは、容器と開閉部材を有する。容器は、トナーを収容する収容部と、排出口と、を有する。開閉部材は、排出口を閉じるための閉じ部と、閉塞力受部と、を有する。開閉部材は、閉じ部に排出口を閉じさせる閉位置と、閉じ部に前記排出口を開かせる開位置と、の間を容器に対して移動するように構成されている。開閉部材は、排出口を閉じる際に移動する閉じ方向において開閉部材の下流側にある先端部と上流側にある後端部を有し、トナーカートリッジを容器の長手方向に沿って見た際に、先端部から後端部にかけて容器の周囲１８０°を超える範囲に配置されている。トナーカートリッジが受入装置から取り外される際に、閉塞力受部は受入装置の閉塞力付与部から、開閉部材を前記開位置から前記閉位置へ移動させるための力を受ける。【選択図】  図１
2018060189.tif 000002
【特許請求の範囲】
【請求項１】
トナーの受入口と、閉塞力付与部と、を有する受入装置に着脱可能なトナーカートリッジにおいて、
（１）容器であって、（１−１）トナーを収容するための収容部と、（１−２）前記収容部からトナーを排出する為の排出口と、を有する容器と、
（２）開閉部材であって、（２−１）前記排出口を閉じるための閉じ部と、（２−２）閉塞力受部と、を有し、前記閉じ部に前記排出口を閉じさせる閉位置と、前記閉じ部に前記排出口を開かせる開位置と、の間を前記容器に対して移動するように構成された開閉部材と、
を有し、
前記開閉部材は、前記排出口を閉じる際に移動する閉じ方向において前記開閉部材の下流側にある先端部と上流側にある後端部を有し、前記トナーカートリッジを前記容器の前記長手方向に沿って見た際に、前記先端部から前記後端部にかけて前記容器の周囲１８０°を超える範囲に配置されており、
前記トナーカートリッジが前記受入装置から取り外される際に、前記閉塞力受部は前記閉塞力付与部から、前記開閉部材を前記開位置から前記閉位置へ移動させるための力を受けるように構成されているトナーカートリッジ。
【請求項２】
前記トナーカートリッジは、少なくとも回転動作を伴って前記受入装置から取り外されるものであって、
前記トナーカートリッジの前記回転動作に伴って、前記閉塞力受部は前記閉塞力付与部から前記力を受ける請求項１に記載のトナーカートリッジ。
【請求項３】
前記閉塞力受部は、前記開閉部材の前記後端部の近傍に設けられる請求項１または２に記載のトナーカートリッジ。
【請求項４】
前記開閉部材は、前記閉じ方向において前記閉じ部から上流側に向かって延びる延在部を有し、
前記開閉部材の前記後端部は前記延在部に設けられる請求項１乃至３のいずれか１項に記載のトナーカートリッジ。
【請求項５】
前記閉塞力受部は、前記延在部に設けられる請求項４に記載のトナーカートリッジ。
【請求項６】
前記開閉部材は前記延在部を複数有し、前記複数の延在部の各々に前記閉塞力受部が設けられる請求項４または５に記載のトナーカートリッジ。
【請求項７】
前記閉塞力受部は、前記容器から遠ざかる方向に突出した突起を有する請求項１乃至６のいずれか１項に記載のトナーカートリッジ。
【請求項８】
前記トナーカートリッジは更に開放力受部を有し、
前記トナーカートリッジが前記受入装置に装着される際に、前記開放力受部は前記受入装置に設けられた開放力付与部から、前記開閉部材を前記閉位置から前記開位置に移動させるための力を受ける請求項１乃至７のいずれか１項に記載のトナーカートリッジ。
【請求項９】
前記開放力受部は、前記開閉部材の前記先端部の近傍に設けられる請求項８に記載のトナーカートリッジ。
【請求項１０】
前記開放力受部および前記閉塞力受部は、前記開閉部材の前記後端部の近傍に設けられる請求項８に記載のトナーカートリッジ。
【請求項１１】
前記開放力受部は、前記閉塞力受部の近傍に設けられる請求項８乃至１０のいずれか１項に記載のトナーカートリッジ。
【請求項１２】
前記開放力受部は、前記容器から遠ざかる方向に突出した突起を有する請求項８乃至１１のいずれか１項に記載のトナーカートリッジ。
【請求項１３】
前記閉塞力受部は、前記開閉部材の前記後端部の近傍に設けられる請求項１乃至１２のいずれか１項に記載のトナーカートリッジ。
【請求項１４】
前記容器は、
互いに前記容器の長手方向に沿って並んでいる２つの突起であって、前記トナーカートリッジが前記受入装置から抜去される抜去方向の上流側に向かって突出している２つの突起を有する請求項１乃至１３のいずれか１項に記載のトナーカートリッジ。
【請求項１５】
前記開閉部材が前記開位置から前記閉位置に移動する際、前記先端部は前記二つの突起に近づく請求項１４に記載のトナーカートリッジ。
【請求項１６】
前記受入装置は、前記受入口を開閉するための受入装置側開閉部材と、前記受入口を覆う位置に前記受入装置側開閉部材をロックするためのロック部と、を有するものであって、
前記２つの突起は、前記ロック部のロックを解除するように構成されている請求項１４または１５に記載のトナーカートリッジ。
【請求項１７】
前記容器の長手方向に延びる仮想線に前記２つの突起と前記排出口とを投影すると、前記排出口の投影領域の少なくとも一部が前記２つの突起の投影領域の間に挟まれる請求項１４乃至１６のいずれか１項に記載のトナーカートリッジ。
【請求項１８】
前記容器の長手方向に延びる仮想線に前記２つの突起と前記排出口とを投影すると、前記排出口の投影領域の全部が前記２つの突起の投影領域の間に挟まれる請求項１４乃至１６のいずれか１項に記載のトナーカートリッジ。
【請求項１９】
前記トナーカートリッジは、前記受入装置から駆動力が入力される駆動入力ギアを有する請求項１乃至１８のいずれか１項に記載のトナーカートリッジ。
【請求項２０】
前記開閉部材が前記閉位置から前記開位置に移動することで、前記閉塞力受部が前記駆動入力ギアの軸線に近づく請求項１乃至１９のいずれか１項に記載のトナーカートリッジ。
【請求項２１】
前記トナーカートリッジは、前記駆動入力ギアが受けた前記駆動力によって前記排出口に向けてトナーを搬送する搬送部材を有する請求項２０に記載のトナーカートリッジ。
【請求項２２】
前記トナーカートリッジは、前記駆動入力ギアから前記搬送部材に向けて前記駆動力を伝達する伝達ギアを有する請求項２１に記載のトナーカートリッジ。
【請求項２３】
前記トナーカートリッジを前記容器の前記長手方向に沿って見た際に、前記開閉部材は前記先端部から前記後端部にかけて前記容器の周囲２３０°以上かつ２７０°以下の範囲に配置されている請求項１乃至２２のいずれか１項に記載のトナーカートリッジ。
【請求項２４】
前記受入装置と、
請求項１乃至２３のいずれか１項に記載のトナーカートリッジと、
を有するトナー供給機構。
【請求項２５】
トナーの受入口と、開放力付与部と、を有する受入装置に着脱可能なトナーカートリッジにおいて、
容器であって、
トナーを収容するための収容部と、前記収容部からトナーを排出する為の排出口と、
を有する容器と、
開閉部材であって、
前記排出口を閉じるための閉じ部と、開放力受部と、を有し、
前記閉じ部に前記排出口を閉じさせる閉位置と、前記閉じ部に前記排出口を開かせる開位置と、の間を前記容器に対して移動するように構成された開閉部材と、
を有し、
前記開閉部材は、前記排出口を閉じる際に移動する閉じ方向において前記開閉部材の下流側にある先端部と上流側にある後端部を有し、前記トナーカートリッジを前記容器の前記長手方向に沿って見た際に、前記先端部から前記後端部にかけて前記容器の周囲１８０°を超える範囲に配置されており、
前記トナーカートリッジが前記受入装置に装着される際に、前記開放力受部は前記開放力付与部から、前記開閉部材を前記閉位置から前記開位置へ移動させるための力を受けるように構成されているトナーカートリッジ。
【請求項２６】
前記トナーカートリッジは、少なくとも回転動作を伴って前記受入装置に装着されるものであって、
前記トナーカートリッジの前記回転動作に伴って、前記開放力受部は前記開放力付与部から前記力を受ける請求項２５に記載のトナーカートリッジ。
【請求項２７】
前記開放力受部は、前記開閉部材の前記先端部の近傍に設けられる請求項２５または２６に記載のトナーカートリッジ。
【請求項２８】
前記開閉部材は、前記閉じ方向において前記閉じ部から上流側に向かって延びる延在部を有する請求項２５乃至２７のいずれか１項に記載のトナーカートリッジ。
【請求項２９】
前記開放力受部は、前記容器から遠ざかる方向に突出した突起を有する請求項２５乃至２８のいずれか１項に記載のトナーカートリッジ。
【請求項３０】
前記容器は、
互いに前記容器の長手方向に沿って並んでいる２つの突起であって、前記トナーカートリッジが前記受入装置に挿入される挿入方向の下流側に向かって突出している２つの突起を有する請求項２５乃至２９のいずれか１項に記載のトナーカートリッジ。
【請求項３１】
前記開閉部材が前記開位置から前記閉位置に移動する際、前記先端部は前記二つの突起に近づく請求項３０に記載のトナーカートリッジ。
【請求項３２】
前記受入装置は、前記受入口を開閉するための受入装置側開閉部材と、前記受入口を覆う位置に前記受入装置側開閉部材をロックするためのロック部と、を有するものであって、
前記２つの突起は、前記ロック部のロックを解除するように構成されている請求項３０または３１に記載のトナーカートリッジ。
【請求項３３】
前記容器の長手方向に延びる仮想線に前記２つの突起と前記排出口とを投影すると、前記排出口の投影領域の少なくとも一部が前記２つの突起の投影領域の間に挟まれる請求項３０乃至３２のいずれか１項に記載のトナーカートリッジ。
【請求項３４】
前記容器の長手方向に延びる仮想線に前記２つの突起と前記排出口とを投影すると、前記排出口の投影領域の全部が前記２つの突起の投影領域の間に挟まれる請求項３０乃至３２のいずれか１項に記載のトナーカートリッジ。
【請求項３５】
前記トナーカートリッジは、前記受入装置から駆動力が入力される駆動入力ギアを有する請求項２５乃至３４のいずれか１項に記載のトナーカートリッジ。
【請求項３６】
前記開閉部材が前記閉位置から前記開位置に移動することで、前記開閉部材の前記後端部が前記駆動入力ギアに近づく請求項３５に記載のトナーカートリッジ。
【請求項３７】
前記トナーカートリッジは、前記駆動入力ギアが受けた前記駆動力によって前記排出口に向けてトナーを搬送する搬送部材を有する請求項３５または３６に記載のトナーカートリッジ。
【請求項３８】
前記トナーカートリッジは、前記駆動入力ギアから前記搬送部材に向けて前記駆動力を伝達する伝達ギアを有する請求項３７に記載のトナーカートリッジ。
【請求項３９】
前記トナーカートリッジを前記容器の前記長手方向に沿って見た際に、前記開閉部材は前記先端部から前記後端部にかけて前記容器の周囲２３０°以上かつ２７０°以下の範囲に配置されている請求項２５乃至３８のいずれか１項に記載のトナーカートリッジ。
【請求項４０】
前記受入装置と、
請求項２５乃至３９のいずれか１項に記載のトナーカートリッジと、
を有するトナー供給機構。
【請求項４１】
トナーカートリッジにおいて、
（１）容器であって、（１−１）トナーを収容するための収容部と、（１−２）前記収容部からトナーを排出する為の排出口と、を有する容器と、
（２）前記排出口を閉じる閉位置と、前記排出口を開く開位置と、の間を前記容器に対して移動するように構成された開閉部材であって、前記排出口を閉じる際に移動する閉じ方向において前記開閉部材の下流側にある先端部と上流側にある後端部を有し、前記トナーカートリッジを前記容器の前記長手方向に沿って見た際に、前記先端部から前記後端部にかけて前記容器の周囲１８０°を超える範囲に配置された開閉部材と、
を有し、
前記開閉部材は、前記後端部の近傍に配置された係合部を有するトナーカートリッジ。
【請求項４２】
前記開閉部材は、前記容器の周囲を回転することで前記閉位置と前記閉位置との間を移動する請求項４１に記載のトナーカートリッジ。
【請求項４３】
前記容器は、実質的な円筒形状を有する請求項４１又は４２に記載のトナーカートリッジ。
【請求項４４】
前記開閉部材は、前記閉じ方向において前記閉じ部から上流側に向かって延びる延在部を有し、
前記係合部は前記延在部に設けられる請求項４１乃至４３のいずれか１項に記載のトナーカートリッジ。
【請求項４５】
前記開閉部材は前記延在部を複数有し、前記複数の延在部の各々に前記係合部が設けられる請求項４４に記載のトナーカートリッジ。
【請求項４６】
前記係合部は、前記容器から遠ざかる方向に突出した突起を有する請求項４１乃至４５のいずれか１項に記載のトナーカートリッジ。
【請求項４７】
前記開閉部材は、前記先端部の近傍に配置された第２の係合部を有する請求項４１乃至４６のいずれか１項に記載のトナーカートリッジ。
【請求項４８】
前記第２の係合部は、前記容器から遠ざかる方向に突出した突起を有する請求項４７に記載のトナーカートリッジ。
【請求項４９】
前記容器は、
互いに前記容器の長手方向に沿って並んでいる２つの突起を有し、
前記開閉部材が前記開位置から前記閉位置に移動する際、前記先端部は前記二つの突起に近づく請求項４１乃至４８のいずれか１項に記載のトナーカートリッジ。
【請求項５０】
前記容器の長手方向に延びる仮想線に前記２つの突起と前記排出口とを投影すると、前記排出口の投影領域の少なくとも一部が前記２つの突起の投影領域の間に挟まれる請求項４１乃至４９のいずれか１項のいずれか１項に記載のトナーカートリッジ。
【請求項５１】
前記容器の長手方向に延びる仮想線に前記２つの突起と前記排出口とを投影すると、前記排出口の投影領域の全部が前記２つの突起の投影領域の間に挟まれる４１乃至５０のいずれか１項に記載のトナーカートリッジ。
【請求項５２】
前記トナーカートリッジは、駆動力が入力される駆動入力ギアを有する請求項４１乃至５１のいずれか１項に記載のトナーカートリッジ。
【請求項５３】
前記開閉部材が前記閉位置から前記開位置に移動することで、前記係合部が前記駆動入力ギアの軸線に近づく請求項５２に記載のトナーカートリッジ。
【請求項５４】
前記トナーカートリッジは、前記駆動入力ギアが受けた前記駆動力によって前記排出口に向けてトナーを搬送する搬送部材を有する請求項５２または５３に記載のトナーカートリッジ。
【請求項５５】
前記トナーカートリッジは、前記駆動入力ギアから前記搬送部材に向けて前記駆動力を伝達する伝達ギアを有する請求項５２乃至５４のいずれか１項に記載のトナーカートリッジ。
【請求項５６】
前記トナーカートリッジを前記容器の前記長手方向に沿って見た際に、前記開閉部材は前記先端部から前記後端部にかけて前記容器の周囲２３０°以上かつ２７０°以下の範囲にわたって配置されている請求項４１乃至５５のいずれか１項に記載のトナーカートリッジ。
【発明の詳細な説明】
【技術分野】
【０００１】
電子写真画像形成用のトナーカートリッジ、トナー供給機構に関する。
【背景技術】
【０００２】
電子写真方式の画像形成装置において、画像形成に関わる回転体としての感光ドラムや現像ローラなど要素をカートリッジとして一体化し、画像形成装置本体（以下、装置本体）へ着脱可能とした構成が知られている。
【０００３】
このように画像形成装置にカートリッジを着脱可能に設ける構成の一つに、画像形成に伴い消費されていくトナー（現像剤）を収容したトナーカートリッジを感光ドラムや現像ローラとは別に交換可能にする構成も知られている。
【０００４】
このような構成では、現像ローラ等を有する現像装置へトナーカートリッジ内に収容したトナー（現像剤）を排出口から受け渡している。また、排出口からトナーが外部へ漏れることを防止するために、排出口を開閉するためのシャッタ等の開閉部材が設けられている構成が知られている。
【０００５】
例えば特許文献１には、円筒状のトナーカートリッジ（現像剤補給容器）を画像形成装置本体に装着される際に、トナーカートリッジを回転させることでシャッタを開放する構成が開示されている。
【先行技術文献】
【特許文献】
【０００６】
【特許文献１】特開平７−１９９６２３号公報
【発明の概要】
【発明が解決しようとする課題】
【０００７】
本発明の目的は、上述の従来技術を発展させるものである。
【課題を解決するための手段】
【０００８】
本出願に係る代表的な構成は、
トナーの受入口と、閉塞力付与部と、を有する受入装置に着脱可能なトナーカートリッジにおいて、
（１）容器であって、（１−１）トナーを収容するための収容部と、（１−２）前記収容部からトナーを排出する為の排出口と、を有する容器と、
（２）開閉部材であって、（２−１）前記排出口を閉じるための閉じ部と、（２−２）閉塞力受部と、を有し、前記閉じ部に前記排出口を閉じさせる閉位置と、前記閉じ部に前記排出口を開かせる開位置と、の間を前記容器に対して移動するように構成された開閉部材と、
を有し、
前記開閉部材は、前記排出口を閉じる際に移動する閉じ方向において前記開閉部材の下流側にある先端部と上流側にある後端部を有し、前記トナーカートリッジを前記容器の前記長手方向に沿って見た際に、前記先端部から前記後端部にかけて前記容器の周囲１８０°を超える範囲に配置されており、
前記トナーカートリッジが前記受入装置から取り外される際に、前記閉塞力受部は前記閉塞力付与部から、前記開閉部材を前記開位置から前記閉位置へ移動させるための力を受けるように構成されている。
【発明の効果】
【０００９】
上述の従来技術を発展することができた。
【図面の簡単な説明】
【００１０】
【図１】実施例に係るトナーカートリッジの側面図である。
【図２】実施例に係る画像形成装置の概略構成を示す模式的に表した断面図である。
【図３】現像ユニットにトナーカートリッジが装着された状態の模式的に表した側断面である。
【図４】実施例に係る現像ユニットの模式的に表した斜視図である。
【図５】実施例に係るトナーカートリッジの模式図である。
【図６】装着（挿入）前における現像ユニットとトナーカートリッジの模式図である。
【図７】装着（挿入）途中における現像ユニットとトナーカートリッジの模式図である。
【図８】トナーカートリッジの延伸部、及び突当部の構成の変形例を示す側断面図である。
【図９】トナーカートリッジに作用する力関係を示す模式的に表した側面図である。
【図１０】突き当て部と被突き当て部が突き当たった状態を示す模式図である。
【図１１】容器枠体が回転されてトナーカートリッジが位置決めされたときの模式図である。
【図１２】各シャッタが開位置に移動し、各トナー収容部が連通されたときの模式図である。
【図１３】トナーカートリッジの突当部の構成の変形例を示す斜視図である。
【図１４】トナーカートリッジに第二駆動伝達部と噛みあう駆動伝達部を設けた場合の側面図である。
【図１５】現像ユニットの変形例を示す図である。
【図１６】現像ユニットの変形例を示す図である。
【図１７】第二シャッタの配置関係を説明する説明図である。
【発明を実施するための形態】
【００１１】
以下に図面を用いて、電子写真画像形成用の画像形成装置、トナー像形成部及びトナーカートリッジについて説明する。なお、画像形成装置とは、例えば電子写真画像形成プロセスを用いて記録媒体に画像を形成するものである。例えば、電子写真複写機、電子写真プリンタ（例えば、ＬＥＤプリンタ、レーザビームプリンタ等）、電子写真ファクシミリ装置等が含まれる。
【００１２】
なお、以下の実施例では１個のトナー像形成部が設けられたモノクロの画像形成装置を例示している。しかし、画像形成装置に設けられるトナー像形成部の個数はこれに限定されるものではない。例えば画像形成装置が複数のトナー像形成部を有し、カラー画像を形成するようなものであってもよい。
【００１３】
また同様に、実施例において開示する各構成について、特に限定的な記載をしない限り、材質、配置、寸法、その他の数値等を限定するものではない。また、特に明記しない限り上方とは画像形成装置を設置した際の重力方向上方を指すものとする。
【００１４】
＜実施例１＞
本実施例ではユーザビリティ向上に寄与する構成について詳しく説明する。具体的には、ユーザがトナーカートリッジを現像ユニットへ装着する際の操作感の向上に関する。
【００１５】
まず、画像形成装置全体の構成について説明した後、現像ユニットとトナーカートリッジについて詳しく説明する。なお、トナーカートリッジを現像ユニットへ装着する動作を装着動作、取り外す動作を取り外し動作と呼ぶ。
【００１６】
また、突起や穴等が互いに係合する位置を係合位置、係合が解除される位置を非係合位置（係合解除位置）と呼ぶ。
【００１７】
［電子写真画像形成装置の説明］
図２は、本実施例に係る画像形成装置Ａの構成を示す側断面構成図である。図２に示す画像形成装置Ａは、通信可能に接続されたパーソナルコンピュータ等の外部機器からの画像情報を受け取る。そして、受け取った画像情報に応じて、画像形成装置Ａは電子写真画像形成プロセスによって記録媒体Ｐ（例えば、記録紙、ＯＨＰシート、布等）に現像剤（トナー）による画像（トナー像）を形成するものである。
【００１８】
画像形成装置Ａは、トナー像形成部（トナー像形成ユニット）Ｂが装置本体に対して着脱可能に構成されている。本実施例のトナー像形成部（トナー像形成ユニット）Ｂは、ドラムユニットＣ、現像ユニット（現像装置）Ｄ、トナーカートリッジＥを有する。トナーカートリッジＥは現像ユニットＤに着脱可能である。つまり現像ユニットＤはトナーカートリッジＥを装着するための装着部を有しており、トナーカートリッジＥを受入れる受け入れ装置（受入装置）となっている。
【００１９】
ここで、トナー像形成部（トナー像形成ユニット）Ｂとは感光ドラムおよび感光ドラムに対して作用する要素を含むユニットとみなすことができる。
【００２０】
ドラムユニットＣと現像ユニットＤが一体化されて、一つのカートリッジとして画像形成装置の装置本体に着脱可能となっている。ドラムユニットＣと現像ユニットＤが一体化されたカートリッジを特にプロセスカートリッジと呼ぶ場合がある。つまりプロセスカートリッジの現像ユニットＤに対してトナーカートリッジＥが着脱される。この場合にはプロセスカートリッジ全体を受け入れ装置とみなすこともできる。
【００２１】
また現像ユニットＤに対してトナーカートリッジＥを装着した状態で、プロセスカートリッジは装置本体に着脱可能である。つまり、ドラムユニットＣと現像ユニットＤとトナーカートリッジＥは、これらが一体化した状態で装置本体に着脱可能である。したがって、ドラムユニットＣと現像ユニットＤとトナーカートリッジＥのすべてを含むトナー像形成部（トナー像形成ユニット）Ｂをプロセスカートリッジと呼ぶ場合もある。
【００２２】
なおドラムユニットＣ、現像ユニットＤ、トナーカートリッジＥがそれぞれ個別にカートリッジ化されている場合もある。この場合には、ドラムユニットＣをドラムカートリッジ、現像ユニットＤを現像カートリッジとよぶことがある。また感光ドラム（あるいは感光ドラムを有するドラムユニット）が装置本体に固定されており、現像ユニット（現像カートリッジ）ＤとトナーカートリッジＥだけが着脱可能に構成される場合もある。
【００２３】
また感光ドラムや現像ユニットが装置本体に固定されており、トナーカートリッジＥのみが装置本体に着脱可能な構成であってもよい。この場合には画像形成装置本体自体がトナーカートリッジＥの受け入れ装置とみなせる。
【００２４】
また受け入れ装置（現像ユニットＤ）とトナーカートリッジＥとを合わせた構成部分を、トナー供給機構（トナー供給ユニット、トナー供給装置）などと呼ぶ場合がある。トナー供給機構において、トナーカートリッジＥから受け入れ装置にトナーが供給（補給）される。
【００２５】
なお本実施例において、像担持体としての感光ドラムは感光層を有するシリンダにフランジ等を一体化した構成を指すものとする。
【００２６】
各カートリッジの取り付け、及び取り外しは使用者（操作者・ユーザ）によって行われる。また、装置本体（画像形成装置本体）とは、画像形成装置Ａから各カートリッジ（ドラムユニットＣ、現像ユニットＤ、トナーカートリッジＥ）を除いた構成部分を指す。
【００２７】
ドラムユニットＣは、感光ドラム（像担持体）１６、帯電ローラ１７、クリーニングブレード１９等が一体的にユニット化したものであり、本実施例においては装置本体に着脱可能なカートリッジ（ドラムカートリッジ）である。また、現像ユニットＤは、現像ローラ（現像剤担持体）２４等が一体的にユニット化したものであり、本実施例においては装置本体に着脱可能なカートリッジの一部である。トナーカートリッジＥは、現像剤としてのトナーｔを収容するトナー収容容器（現像剤収容容器、容器）４７等が一体的にカートリッジ化されたものである。
【００２８】
図２に図示した矢印ａの方向に感光ドラム１６は回転する。回転する感光ドラム１６の表面は帯電手段としての帯電ローラ１７によって一様に帯電される。この感光ドラム１６にレーザスキャナ（露光手段）１から画像情報に応じたレーザ光Ｌが照射されることにより、感光ドラム１６に画像情報に応じた静電潜像が形成される。そして、現像ローラ２４に担持搬送されたトナーｔが静電潜像を現像する。これにより、感光ドラム１６上にトナー像が形成される。
【００２９】
ここで、図３を参照して、トナー像形成部Ｂにおける現像プロセスについて説明する。受入装置としての現像ユニットＤの枠体３５は現像ローラ２４を回転可能に支持している。装置本体に設けられた不図示のモータ等の動力源から駆動力を受けて、現像ローラ２４は感光ドラム１６に対して順方向（図中矢印ｂの方向）に回転駆動される。
【００３０】
現像室３１内のトナーｔは現像ローラ２４の周面上に現像ブレード２５によりその層厚が規制されて担持される。層厚が規制される際に、トナーに摩擦帯電により電荷が付与される。そして、帯電されたトナーは感光ドラム１６の静電潜像をする。
【００３１】
現像ユニットＤにおいて、現像室３１は第一開口部２９を介して第一トナー収容部（現像剤収容部）２８と連通している。不図示の駆動源によって回転駆動される第一トナー搬送手段２７は第一トナー収容部２８から現像室３１へトナーｔを供給する。
【００３２】
また、第二開口部（収容体開口・受入口、受入開口）３０と第三開口部（容器開口・排出口、排出開口）４９によって連通部５８が形成される。この連通部５８を介して、第一トナー収容部（収容体収容室）２８は、トナーカートリッジＥの第二トナー収容部（容器収容室）４７ｔと連通している。
【００３３】
第二トナー収容部４７ｔとは、トナーを収容するため容器４７の内部に設けられた空間である。第二トナー収容部４７ｔは、容器４７の枠体（容器枠体４７ａ）によって形成される収容部（トナー収容部、現像剤収容部）である。
【００３４】
第三開口部４９は、容器枠体４７ａに形成されており、第二トナー収容部４７ｔからト容器４７の外部（つまりは現像ユニットＤ）に向けてトナーを排出するための排出口である。第三開口部４９から排出されたトナーは現像ユニットＤの第二開口部（受入口）３０に受け入れられる。
【００３５】
第一トナー収容部２８は、装置本体から現像ユニットＤを介して入力される駆動力により回転する第二トナー搬送部材４６により第二トナー収容部４７ｔからトナーｔが供給される。
【００３６】
再び、図２を参照して説明する。給送カセット２にセットした記録媒体Ｐは、ピックアップローラ３とこれに圧接する圧接部材５により一枚ずつ分離され給送される。そして、感光ドラム上に形成されたトナー像と同期して、記録媒体Ｐが搬送ガイド４に沿って転写手段としての転写ローラ６へと搬送される。
【００３７】
次いで、記録媒体Ｐは感光ドラム１６と一定の電圧を印加された転写ローラ６により形成される転写ニップ部１１を通る。このとき感光ドラム１６上に形成されたトナー像は記録媒体Ｐに転写される。トナー像が転写された記録媒体Ｐは搬送ガイド７により定着手段８へ搬送される。
【００３８】
この定着手段８は駆動ローラ８ａ及びヒータ８ｂを内蔵する定着ローラ８ｃを備える。記録媒体Ｐは、定着ローラ８ｃと駆動ローラ８ａにより形成されるニップ部８ｄを通過する熱と圧力を受ける。これにより、記録媒体Ｐ上に転写されたトナー像は記録媒体Ｐに定着させる。その後、トナー像が定着された記録媒体Ｐは排出ローラ対９により搬送され、排出トレイ１０へと排出される。
【００３９】
クリーニングブレード１９は、感光ドラム１６の外周面に弾性的に接触するように設けられている。これにより、記録媒体Ｐに転写されなかった感光ドラム１６に残留するトナーｔ（転写残トナー）はクリーニングブレード１９により掻き落される。この掻き落とされたトナーｔは、クリーニングブレード１９が固定された枠体１８の除去トナー収容部（廃トナー収容部）１８ａに収納される。
【００４０】
上述の通り、本実施例の画像形成装置は電子写真画像形成方式により現像剤（トナー）を用いて記録媒体（記録材）に画像を形成する構成について説明した。当然、画像形成装置として記録媒体上に画像を形成すればよく、電子写真複写機、電子写真プリンタ（レーザビームプリンタ、ＬＥＤプリンタ等）、電子写真ファクシミリ装置、電子写真ワードプロセッサ等その形態を限定する意図はない。
【００４１】
前述の通り、トナー像形成部Ｂは、像担持体である電子写真感光体（感光体）と、この感光体に作用するプロセス手段を有する。本実施例においてこのトナー像形成部は、１つ以上のカートリッジとして画像形成装置の装置本体に対して着脱可能に構成される。
【００４２】
プロセス手段としては、帯電手段（帯電部材、帯電装置）、現像手段（現像装置、現像ユニット）、クリーニング手段（クリーニング装置、クリーニング部材）などが含まれる。
【００４３】
現像装置とは、感光体上の静電潜像を現像するために用いられる装置である。本実施例では現像装置（現像ユニット）は、カートリッジ化され単体で画像形成装置に着脱可能である。一方、プロセスカートリッジの一部を現像装置が構成してもよい。
【００４４】
また、トナーカートリッジ（現像剤カートリッジ、トナーボトル、現像剤ボトル、トナー容器、現像剤容器）とは、感光体に形成された静電潜像を現像するために用いられる現像剤（トナー）を収納したカートリッジである。
【００４５】
［各カートリッジ（各ユニット）の構成について］
続いて、画像形成装置に着脱可能に設けられた各カートリッジ（各ユニット）の詳細構成について説明する。
【００４６】
（現像ユニットのトナーカートリッジ受け入れ部近辺の詳細説明）
図４を用いて、本実施例に係る現像ユニットＤのトナーカートリッジＥの受け入れ部近辺の詳細な構成を説明する。図４は現像ユニットＤのトナーカートリッジＥの受け入れ部（装着部）近辺の斜視図である。図４（ａ）は第二開口部３０が閉塞された状態（第一シャッタ３７が閉位置）を説明するための図である。また、図４（ｂ）は第二開口部３０が開放された状態（第一シャッタ３７が開位置）を説明するための図である。本実施例において、現像ユニットＤの長手方向は現像ユニットＤが備える現像ローラ２４の回転軸線方向と平行な方向のことを指す。なおトナーカートリッジＥが現像ユニットに装着された状態において、トナーカートリッジＥの長手方向は、現像ユニットＤの長手方向と実質的に平行である。
【００４７】
現像ユニットＤは、その枠体（現像枠体）３５にトナーカートリッジＥを受け入れ部に装着可能（取り外し可能）に構成されている。受け入れ部近辺において、現像ユニットＤは第二開口部（収容体開口、受入口）３０と、第一シャッタ（収容体シャッタ、受け入れ装置側シャッタ、受け入れ装置側開閉部材）３７を有している。本実施例では、第二開口部３０が現像ユニットＤの長手方向中央部に設けられている。しかし、後述する第三開口部（容器開口）４９と対向する位置であれば、第二開口部３０の位置は、長手方向中央部にその位置を限定するものではない。
【００４８】
図４（ａ）に示すように、第二開口部３０はトナーカートリッジＥの外周面に沿った曲率を有した形状の第一シャッタ３７により封止される。
【００４９】
第一シャッタ３７は現像剤容器としてのトナーカートリッジＥに設けられた凸部（容器側係合部、開閉部材移動部、容器側突起）４５と係合する穴部３７ａを有する。凸部４５と穴部３７はそれぞれ二つずつ設けられている。この穴部３７ａは第一シャッタ３７が第二開口部３０を封止する封止範囲の外側に設けられている。
【００５０】
また、第一シャッタ３７の長手方向両端部は現像ユニットＤの枠体３５における第二開口部３０の長手方向の両側に設けられた第一シャッタガイド部３４と係合する。これにより、第一シャッタは第一シャッタガイド部３４に沿ってスライド自在（移動可能）に構成されている（矢印Ｗ１、Ｗ２方向）。
【００５１】
これにより、第一シャッタ３７は第二開口部３０を閉塞する閉位置（受入口閉位置、図４（ａ））と、第二開口部３０を開放する開位置（受入口開位置、図４ｂ））との間を移動可能に構成されている。
【００５２】
また、現像ユニットＤには第二開口部３０より漏れ出てくるトナーｔを現像ユニットＤから落下させないために、第二開口部３０の重力方向ｇ下方にトナー受部（閉塞力付与部）３５ｘ、トナー受部３５ｙが設けられている（図４（ｂ））。トナー受け部３５ｙは、開位置にある第一シャッタ３７に覆われる平面である（図４（ａ）参照）。トナー受部３５ｘは、トナー受部３５ｙの端部に設けられた突起であり長手方向に延びている。
【００５３】
本実施例において、このトナー受部３５ｘ、３５ｙの長手方向配置は第二開口部３０よりも長手方向外側、かつ穴部３７ａよりも長手方向外側に形成されている（不図示）。しかし、トナー受部３５ｘ、３５ｙの長手方向配置はこれに限定されるものではない。ただし、第二開口部３０より漏れ出てくるトナーｔをカートリッジから落下させないことを目的とすると、第二開口部３０よりも長手方向外側の領域まで配置することが望ましい。
【００５４】
仮に、第一シャッタ３７の移動時に、第二回開口部３０からトナーが漏れたとしても、そのトナーをトナー受部３５ｙやトナー受部３５ｘのうえで保持する。これにより、カートリッジから装置本体の内部にトナーが進入するのを抑制する。
【００５５】
また、図４（ｂ）に示すように現像ユニットＤの枠体３５に、第一シャッタ３７と第二開口部３０との間を封止するための第一封止シール３２が、第二開口部３０の周りを囲むように取り付けられている。
【００５６】
現像ユニットＤは、枠体３５の長手方向両端に、トナーカートリッジＥを装着（挿入）する際にトナーカートリッジの姿勢（装着姿勢）を維持しつつガイドする挿入ガイド部（受入装置側ガイド）３５ｄ、３６ｄを備える。
【００５７】
また、現像ユニットＤは、後述するトナーカートリッジＥの挿入時にトナーカートリッジＥの突き当て部４２ａ、４３ａが突き当たる被突き当て部３５ａ、３６ａを有する。
【００５８】
さらに、現像ユニットＤは、枠体３５の長手方向両端に、第一シャッタ３７と第二シャッタ（容器シャッタ）５３を開閉する際に、トナーカートリッジＥの回転をガイドする回転ガイド部３５ｂ、３６ｂを有する。
【００５９】
挿入ガイド部３５ｄ、３６ｄは、トナーカートリッジＥの挿入方向ｆ（図４（ａ））に沿って直線的かつ互いに平行に形成されている。なお、トナーカートリッジＥの挿入方向反対向きの方向を抜去方向（トナーカートリッジＥを現像ユニットＤから抜き出す方向）と呼ぶことがある。この場合には挿入方向下流側を抜去方向上流側とみなすことができ、挿入向上流側を抜去方向下流側とみなすことができる。
【００６０】
現像ユニットＤは、非駆動側において被突き当て部３５ａ、回転ガイド部３５ｂが挿入ガイド部３５ｄの挿入方向ｆ下流側に、駆動側において被突き当て部３６ａ、回転ガイド３６ｂが挿入ガイド部３６ｄの挿入方向ｆ下流側にそれぞれ設けられている。
【００６１】
なお現像ユニットＤの長手方向の両端側において、ギア等の駆動部（例：第一駆動伝達部３８）が配置されている側を以下、駆動側とよぶ。現像ユニットの非駆動側とはその駆動側と長手方向反対側という意味として用いている。
【００６２】
さらに、現像ユニットＤは、後述のトナーカートリッジＥの第二トナー搬送手段４６に駆動を伝えるための第一駆動伝達部３８が、枠体３５の長手方向の一端部に設けられている。
【００６３】
第一駆動伝達部３８は、ギア（歯車）であって、現像ユニットＤの内部で画像形成装置本体の駆動機構と連結されている。第一駆動伝達部３８はトナーカートリッジＥの外部から、第二トナー搬送部材４６を駆動させるための回転力を伝える回転力伝達部（駆動力伝達部）である。
【００６４】
（トナーカートリッジの詳細説明）
図５を用いて、本実施例に係るトナーカートリッジＥの詳細な構成について説明する。
【００６５】
図５（ａ）はトナーカートリッジＥを第二駆動伝達部４８側（駆動側）から見たときの斜視図である。また、図５（ｂ）はトナーカートリッジＥを第二駆動伝達部４８側とは反対側（非駆動側）から見たときの第二シャッタ５３が第三開口部４９を閉じた状態の斜視図である。図５（ｃ）は第三開口部４９閉塞状態でのトナーカートリッジＥの第二駆動伝達部４８側とは反対側から見た断面図である。また、図５（ｄ）は第三開口部４９解放状態でのトナーカートリッジＥの第二駆動伝達部４８側とは反対側から見た断面図である。そして、図５（ｅ）はトナーカートリッジＥの第二シャッタ５３が開位置（第三開口部４９が開放された状態）のときの斜視図である。図５（ｆ）は第三開口部４９解放状態での第三開口部近傍の拡大図である。なお、図５においてトナーｔは不図示としている。
【００６６】
トナーカートリッジＥは、容器４７、容器４７に対して移動可能な第二シャッタ（現像剤容器シャッタ）５３、容器４７の内部に設けられた第二トナー搬送部材４６、第二トナー搬送部材４６に取り付けられた第二駆動伝達部（ギア）４８等を備える。
【００６７】
容器４７は実質的な円筒形状である。すなわち容器４７の本体部分（主要部分）を構成する枠体（容器枠体）４７ａが、ほぼ円筒形状である。ここで、トナーカートリッジＥの長手方向は円筒形状の長手方向と一致する。
【００６８】
容器４７の長手方向端部には、容器枠体４７ａの側壁４７ａ２よりも長手方向外側に突出した被挿入ガイド部（被案内部、トナーカートリッジ側ガイド部）４２が設けられている。同様に、容器４７の長手方向他端部には、容器枠体４７ａの側壁４７ａ１よりも長手方向外側に突出した被挿入ガイド部（被案内部、トナーカートリッジ側ガイド部）４３が設けられている。
【００６９】
また、容器４７はユーザが操作する操作部４４を持つ。操作部４４は枠体４７ａと一体的に形成されたＵ型の突起である。なお操作部４４の形状はＵ字形状に限らない。また、容器枠体４７ａと一体成形されても良いし、枠体４７ａと別の部材で構成されていて枠体４７ａに取り付けられていてもよい。操作部４４は、ユーザがトナーカートリッジＥを装着や取り外す際に把持するための把持部（グリップ、つかみ部）である。
【００７０】
図５（ｃ）に示すように容器枠体（円筒部）４７ａは中空であって、その内側にトナーｔが収容される第二トナー収容部４７ｔを形成する。容器枠体４７ａの第二トナー収容部４７ｔの内部には、トナーを搬送するための第二トナー搬送部材４６が回転可能に設けられている。第二トナー搬送部材４６の長手方向（回転軸線方向）の一端部には、第二トナー搬送部材４６を回転駆動させる動力（回転力、駆動力）を受けるための第二駆動伝達部４８が設けられている（図５（ａ））。第二駆動伝達部４８は、トナーカートリッジＥが外部から（すなわち受入装置である現像ユニットＤから）駆動力（回転力）が入力されるギア（駆動入力ギア）である。
【００７１】
なお、本実施例では駆動入力ギアである第二駆動伝達部４８から直接に第二トナー搬送部材４６に駆動力を伝達されている。しかし、駆動入力ギアから別の駆動伝達部材（たとえば１つ又は複数のギア）を介して第二トナー搬送部材４６に駆動力が伝達されていてもよい。このような構成は図１４を用いて後述する。
【００７２】
そして、容器枠体４７ａにはその円筒形状の外周に、第一シャッタ３７の穴部３７ａと係合可能に設けられた２つの凸部４５を備える。２つの凸部４５はほぼ同じ方向に突出している突起部である。トナーカートリッジＥを現像ユニットＤに挿入する挿入方向において、凸部４５は下流側に向かって突出している。
【００７３】
また２つの凸部４５を結ぶ線は、トナーカートリッジＥの長手方向と実質的に平行である。そして、図５（ｆ）に示すように、容器４７の長手方向において２つの凸部４５は、第三開口部４９の外側に配置される。より詳細に述べると、容器枠体４７ａの中心軸線Ｒに平行な仮想線に２つの凸部４５および第三開口部４９を投影すると、２つの凸部の投影領域に挟まれた範囲内に第三開口部４９の投影領域全体が位置する（不図示）。
【００７４】
第二シャッタ５３が開位置から閉位置に移動する際、第二シャッタ５３の先端部は二つの凸部４５に近づくようになっている。
【００７５】
また、図５（ｅ）に示すように、容器枠体４７ａには、その周面に第二トナー収容部４７ｔのトナーｔを排出するための第三開口部４９が設けられている。本実施例では、第三開口部４９を容器枠体４７ａの外周面上におけるトナーカートリッジＥの長手方向中央に設けている。しかし、第三開口部４９の位置は、第二開口部３０と対向する位置であれば特定の位置に限定されるものではない。
【００７６】
図５（ｃ）に示すように、第二シャッタ５３の断面（容器枠体４７ａの中心軸線Ｒに垂直な断面）は、容器枠体４７ａの外周に沿った曲線形状（略円弧形状）を持つ。
【００７７】
容器枠体４７ａは少なくとも第三開口部４９の周囲においてその表面が曲面形状（略円筒形状、略円弧形状）となっている。第二シャッタ５３は、この第三開口部４９周囲の曲面部（円弧部）に沿って容器枠体４７ａの周囲を回転（公転）可能である。これにより第二シャッタ５３は第三開口部４９を開閉し得る。
【００７８】
より詳細に述べると、第三開口部４９が開いた状態（図５（ｄ））において、第二シャッタ５３を容器枠体４７ａに対し矢印ｕ方向に相対的に動作する。すると、第三開口部４９が開いた状態から閉じた状態（図５（ｃ））になる。
【００７９】
また、第二シャッタ５３は、第三開口部４９を閉じるためのシャッタ本体部５３ｍ（本体部分、閉じ部）を有する。なお、シャッタ本体部５３ｍの長手方向はトナーカートリッジＥの長手方向と実質的に平行である。
【００８０】
ここで、第二シャッタ５３の先端側とは、第二シャッタ５３が第三開口部４９を閉める際に容器枠体４７ａに対して移動する方向（矢印ｕ方向）において下流側という意味である。第二シャッタ５３の先端とは、第二シャッタ５３の短手方向（第二シャッタ５３の長手方向と直交する方向）における矢印ｕ方向下流側の端部（第一突当部）５３ｃのことである。
【００８１】
また、第二シャッタ５３の後端側とは、第二シャッタ５３が第三開口部４９を閉める際に容器枠体４７ａに対して移動する方向（矢印ｕ方向）において上流側という意味である。第二シャッタ５３の後端とは、第二シャッタ５３の短手方向（第二シャッタ５３の長手方向と直交する方向）における矢印ｕ方向上流側の端部（第二突当部）５３ｘのことである。
【００８２】
第二シャッタ５３の先端側端部には容器枠体４７ａの外周方向に突出した第一突当部（開放力受部、係合部）５３ｃが設けられている。本実施例において第一突当部５３ｃは第二シャッタ５３のシャッタ本体部５３ｍ長手方向中央に一箇所設けているが（図５（ｆ））、この構成に限定されるものではなく、図１３に示すように二箇所設けてもよい。また、第一突当部５３ｃは第二シャッタ５３と一体で形成しているが、別体で形成してもよい。
【００８３】
第二シャッタ５３の後端側には延伸部５３ｙが設けられている。そして、延伸部５３ｙの、第二シャッタ５３の後端側端部の近傍には容器枠体４７ａの外周方向に突出した第二突当部５３ｘ（閉塞力受部、係合部）が設けられている。ここで、第二シャッタ５３は第一突当部５３ｃから第二突当部５３ｘまでの角度は１８０°以上となっている。つまり第二シャッタ５３は、その先端（第一当接部５３ｃ）からその後端（第二突き当て部５３ｘ）に至るまで、容器枠体４７ａの周囲１８０°を超える範囲に配置されている。
【００８４】
つまり、トナーカートリッジＥをその長手方向に沿って見ると、第二シャッタ５３は、容器枠体４７ａの周囲の半分以上を覆っている。このような構成であれば第二シャッタ５３は、容器枠体４７ａから外されにくくなる。ユーザの誤操作によって第二シャッタ５３が容器枠体４７ａから取り外されることを抑制できる。
【００８５】
図１７を用いて第二シャッタ５３の配置関係についてより詳細に示す。第二シャッタ５３は、容器４７の周囲１８０°を超える範囲に配置されていると先述した。図１７に示すθ１は、容器枠体４７ａの中心Ｒを基準として、第二シャッタ５３の先端５３ｃから後端５３ｘまでの角度である。この角度θ１は１８０°より大きい。特に本実施例では、トナーカートリッジＥをその長手方向に沿って見た際に、第二シャッタ５３が、容器枠体４７ａの周囲の２３０°以上の範囲に配置されるようにした。その一方で、第二シャッタ５３が配置される領域が、２７０°以下になるようにした。すなわち角度θ１は、２３０°以上、２７０°以下である。このとき第二シャッタ５３が配置されていない領域が、容器枠体４７ａの周囲に少なくとも９０°ある。
【００８６】
なお角度θ１の基準とした容器４７の中心Ｒとは、容器４７の回動軸線である。つまり第二シャッタ５３の開放及び閉鎖の際に、容器４７が回転する中心Ｒが、角度θ１の基準である。また容器４７の枠体は実質的に円筒形状を有している。この円筒形状の中心Ｒが、角度θ１の基準である。
【００８７】
図５（ｆ）に示すように、長手方向において第二突当部５３ｘの一部は２つの凸部４５よりも長手方向内側に設けられている。より詳細に述べると、容器枠体４７ａの中心軸線Ｒに平行な任意の仮想面に２つの凸部４５および第二突当部５３ｘを投影する（不図示）と、２つの凸部に挟まれた領域の範囲内に第二突当部５３ｘに挟まれた領域の一部が位置する。
【００８８】
なお、第二突当部５３ｘの配置は本構成に限定するものではなく、２つの凸部４５よりも長手方向内側に配置された領域があればよい。また、第二突当部５３ｘは第二シャッタ５３のシャッタ本体部５３ｍに二箇所設けているが、この構成に限定されるものではなく、図１４のように一箇所でもよい。
【００８９】
また、本実施例において延伸部５３ｙは第二シャッタ５３と一体で形成しているが、別体で形成してもよい。また、第二突当部５３ｘは延伸部５３ｙと一体で形成しているが、別体で形成してもよい。
【００９０】
図５（ｃ）に示すようにトナーカートリッジＥを長手方向に沿って見る。第二シャッタ５３が第三開口部４９を閉じた状態（図５（ｃ））から開いた状態（図５（ｄ））になる。このとき、２つの凸部４５は第二シャッタ５３の第二突当部５３ｘに対し近付く側に配置されている。
【００９１】
図５（ａ）に示すように、第二シャッタ５３（シャッタ本体部５３ｍ）の長手方向両端部５３ｎは、容器枠体４７ａにおける第三開口部４９の長手方向の両側に設けられた第二シャッタガイド部（開閉ガイド）５２と係合する。そして、第二シャッタ５３のシャッタ本体部５３ｍは第二シャッタガイド部５２に沿って容器枠体４７ａ外周面上を周方向にスライド自在に組み付けられている。これにより、第二シャッタ５３は、トナーカートリッジＥの外周面に沿って第三開口部４９を開放する開位置（容器開位置、図５（ｄ））と、第三開口部４９を閉塞する閉位置（容器閉位置、図５（ｃ））との間を移動できる。
【００９２】
なお第二シャッタ５３が開位置にある際には、図５（ｄ）に示すように第三開口部４９がシャッタ本体部５３ｍ（閉じ部）からすべて開放されることが望ましい。しかし第二シャッタ５３が開位置にある際に第三開口部４９からトナーｔが必要量排出可能であれば第三開口部４９の一部がシャッタ本体部５３ｍ（閉じ部）によって覆われた構成を取ることも可能である。つまり第二シャッタ５３が開位置にある際に、シャッタ本体部５３ｍが第三開口部４９を少なくとも一部開放しトナーカートリッジＥから現像ユニットＤに対してトナーｔを供給可能な構成であればよい。
【００９３】
また、第二シャッタ５３が閉位置にある際には、図５（ｃ）に示すように第三開口部４９が全てシャッタ本体部５３ｍによって全て覆われていることが望ましい。しかし第三開口部４９がわずかに開放されていても、シャッタ本体部５３ｍによって第三開口部４９が実質的に閉じられていて第三開口部４９からトナーが漏れ出るのが十分に抑えられているのであれば、そのような構成を取ることも可能である。つまり第二シャッタ５３が閉位置にある際に、シャッタ本体部５３ｍが第三開口部４９を実質的に閉じていればよい。
【００９４】
［トナーカートリッジの現像ユニットへの装着］
続いて、トナーカートリッジＥを現像ユニットＤへ装着される過程について説明する。具体的には、トナーカートリッジＥを現像ユニットＤへ挿入された状態で、トナーカートリッジＥを回転させることで、第二開口部３０と第三開口部４９が開閉する。
【００９５】
（トナーカートリッジの現像ユニットへの挿入動作）
図１、図６、図７を参照して、トナーカートリッジＥの現像ユニットＤへの挿入動作について説明する。なお、図１、図６（ｂ）、図７については、便宜上被挿入ガイド３５ｄ、３６ｄを透かした状態で見ている。
【００９６】
図１（ａ）は現像ユニットＤにトナーカートリッジＥを挿入した際の、第二駆動伝達部４８とは逆方向から長手方向に沿って見たときの側面図である。図１（ｂ）は、トナーカートリッジＥの装着方向に対する操作部４４、突き当て部４３ａの位置関係を示した、駆動側から見たトナーカートリッジＥ及び現像ユニットＤの側面図である。図６は、トナーカートリッジＥを装着（挿入）する前の状態におけるトナーカートリッジＥと現像ユニットＤの様子を示す模式図であり、図６（ａ）は斜視図、図６（ｂ）は側面図である。
【００９７】
図７は、トナーカートリッジＥの装着（挿入）途中の状態におけるトナーカートリッジＥと現像ユニットＤの様子を示す側面図である。
【００９８】
図１（ａ）に示すように、トナーカートリッジＥは被回転ガイド部４２ｂを備える。この被回転ガイド部４２ｂは、トナーカートリッジＥを回転させて第一シャッタ３７と第二シャッタ５３を開閉する際に、容器枠体４７ａをガイドする回転ガイド（トナーカートリッジ側回転ガイド）である。被回転ガイド部４２ｂはトナーカートリッジＥの回転軸線Ｓを中心とした曲面形状（略円弧形状）を持つ（詳細は後述する）。
【００９９】
本実施例では非駆動側において、突き当て部４２ａ、被回転ガイド部４２ｂ、規制部４２ｃ１、及び、規制部４２ｃ２を、被挿入ガイド部４２ｂと一体的に構成している。しかし、各機能を満たす構成であれば、それぞれ別々の部材として設けてもよい。
【０１００】
図１（ｂ）に示すように、被挿入ガイド部４３はトナーカートリッジＥの挿入時に現像ユニットＤの被突き当て部３６ａと突き当たる突き当て部４３ａを有する。被挿入ガイド部４３は、突き当て部４３ａが第一シャッタ３７と第二シャッタ５３を開閉する際に、容器枠体４７ａをガイドする被回転ガイド部（トナーカートリッジ側回転ガイド部）を兼ねる構成となっている。
【０１０１】
本実施例では駆動側において、被挿入ガイド部４３ｂと突き当て部４３ａをそれぞれ別部材で構成してよい。また、被回転ガイド部を突き当て部４３ａとは別の部材として設けてもよい。このように、トナーカートリッジＥと現像ユニットＤの互いに当接しない部位（非機能部位・非接触部位）については、強度等を加味して適宜省略しても良い。
【０１０２】
また、本実施例では、被挿入ガイド部４３を第二トナー搬送部４６の長手方向端部の第二駆動伝達部４８の端部に設けている。しかし、被挿入ガイド部４３を容器枠体４７ａに設けてもよい。
【０１０３】
ここで、図１（ａ）を参照して、操作部４４の容器枠体４７ａにおける配置について説明する。図１（ａ）は、トナーカートリッジＥにおける第二駆動伝達部４８とは逆側を、第二トナー搬送部４６の長手方向に見たときの側面図である。この図では、挿入方向ｆに対する操作部４４と突き当て部４２ａの位置関係を示している。
【０１０４】
ここで挿入方向ｆについて説明する。規制部４２ｃの面に沿った方向をｆ方向と定義する。さらに詳しく述べると、規制部４２ｃの面に沿った方向のうち、突き当て部４２ａが被挿入ガイド部４２に対して下流側となる方向がｆ方向と言える。すなわち、トナーカートリッジＥの現像ユニットＤへの挿入方向はｆ方向である。
【０１０５】
規制部４２ｃ１と規制部４２ｃ２により規制されたトナーカートリッジＥの挿入方向ｆと平行、かつ、突き当て部４２ａと突き当て部４３ａを通る平面（容器枠体４７ａの回転中心Ｓを通る仮想面）を面ｍとする。
【０１０６】
操作部４４は、面ｍよりも第三開口部４９（図５（ｄ）参照）の開放方向（図１（ａ）矢印ｅ方向）下流側に設置されている。なお、第三開口部４９の開放方向（矢印ｅ方向）とはトナーカートリッジＥを現像ユニットＤへセットするためにトナーカートリッジＥを回転させる方向（セット方向）である。
【０１０７】
次にトナーカートリッジの現像ユニットへの挿入動作について説明する。
【０１０８】
図６（ａ）に示すように、トナーカートリッジＥが現像ユニットＤに装着される前、第一シャッタ３７は第二開口部３０（不図示）閉位置にあり、第二シャッタ５３は第三開口部４９（不図示）閉位置にある。つまり、現像ユニットＤの第二開口部３０（図４（ｂ）参照）、トナーカートリッジＥの第三開口部４９（図５（ｅ）参照）はそれぞれ第一シャッタ３７、第二シャッタ５３により閉塞状態となっている。
【０１０９】
トナーカートリッジＥの被挿入ガイド部４２には、挿入時にトナーカートリッジＥの挿入姿勢・抜き出し姿勢（挿入方向・抜去方向）を規制するための被規制部（被規制面、姿勢規制部、挿入方向規制部）４２ｃ１、４２ｃ２が設けられている。
【０１１０】
ユーザは操作部４４を把持し、トナーカートリッジＥを現像ユニットＤに対して挿入方向ｆに移動させる。ユーザは、トナーカートリッジＥの被挿入ガイド部４２と現像ユニットＤの挿入ガイド部３５ｄ、被挿入ガイド部４３と挿入ガイド部３６ｄがそれぞれ係合するようにトナーカートリッジＥを移動させる。被挿入ガイド部４２、４３が現像ユニットＤの挿入ガイド部３５ｄ、３６ｄにガイドされることで、トナーカートリッジＥの装着時の姿勢が安定する。
【０１１１】
なお、図６（ｂ）に示すように本実施例では挿入方向ｆが重力方向ｇに対して斜めとなるように被挿入ガイド部４２、４３と挿入ガイド部３５ｄ、３６ｄが構成されている。
【０１１２】
言い換えると、トナーカートリッジＥは被挿入ガイド部４２の重力方向ｇ下側の被規制部４２ｃ１と、挿入ガイド部３５ｄの重力方向ｇ下側の面３５ｄ１が合わさって挿入される（図１（ａ））。同様に、トナーカートリッジＥは被挿入ガイド部４２の重力方向ｇ下側の規制部４２ｃ２と挿入ガイド部３５ｄの重力方向ｇ下側の面３５ｄ２が合わさって挿入される（図１（ｂ））。
【０１１３】
そして、図７に示すように被挿入ガイド部４２の重力方向ｇ下方側の規制部４２ｃ１が挿入ガイド部３５ｄの面３５ｄ１に乗った状態となることで、挿入ガイド部３５ｄ回転ガイド部３５ｂに対して被挿入ガイド部４２のｆ方向以外の位置が決まる。これにより、トナーカートリッジＥの現像ユニットＤに対する姿勢が定まる。
【０１１４】
ユーザがその姿勢のまま、トナーカートリッジＥをｆ方向に更に移動させていくと、図１（ａ）に示すようにトナーカートリッジＥに設けられた被挿入ガイド部４２には突き当て部４２ａが設けられている。突き当て部４２ａは現像ユニットＤに設けられた被突き当て部３５ａに突き当たる。同様に、図１（ｂ）に示すようにトナーカートリッジＥに設けられた突き当て部４３ａは現像ユニットＤに設けられた被突き当て部３６ａに突き当たる。これにより、トナーカートリッジＥの挿入が完了する。
【０１１５】
（トナーカートリッジの現像ユニットに対する位置決め）
図１０（ａ）、図１０（ｂ）、図１１（ａ）、図１１（ｂ）を参照して、トナーカートリッジＥの現像ユニットＤに対する位置決めについて説明する。
【０１１６】
図１０（ａ）は、突き当て部４２ａと被突き当て部３５ａが突き当たった状態におけるトナーカートリッジＥの被挿入ガイド部４２と現像ユニットＤの枠体３５の側面図である。図１０（ｂ）は、突き当て部４２ａと被突き当て部３５ａが突き当たった状態におけるトナーカートリッジＥ及び現像ユニットＤの断面図である。
【０１１７】
図１１（ａ）は、トナーカートリッジＥが現像ユニットＤに対して位置決めされた状態におけるトナーカートリッジＥの被挿入ガイド部４２と現像ユニットＤの枠体３５の側面図である。図１１（ｂ）は、位置決めされたトナーカートリッジＥと現像ユニットＤの係合関係を示す断面図である。より具体的には、図１１（ｂ）は、トナーカートリッジＥと現像ユニットＤを第二シャッタ５３の位置で切った断面図である。
【０１１８】
図１０（ａ）はトナーカートリッジＥを現像ユニットＤに挿入完了後の状態を示す。第一シャッタ３７と第二シャッタ５３を開閉するために、容器４７をトナーカートリッジＥの回転軸線Ｓ周りに矢印ｅ方向に回転させる。そうすると図１１（ａ）に示すように、突き当て部４２ａと被回転ガイド４２ｂがそれぞれ回転ガイド３５ｂと係合する。これにより、トナーカートリッジＥは現像ユニットＤに対して相対的に位置決めされる。このとき、被回転ガイド部４２ｂが現像ユニットＤに設けられた回転ガイド３５ｂにガイドされる。これにより容器４７はスムーズに回転できる。
【０１１９】
［シャッタの開閉動作について］
以下に、現像ユニットＤに設けられた第一のシャッタ３７とトナーカートリッジＥに設けられた第二シャッタ５３の開閉動作について詳しく説明する。
【０１２０】
本実施例では、トナーカートリッジＥが現像ユニットＤに装着される過程で、現像ユニットＤの第一シャッタ３７と、トナーカートリッジＥの第二シャッタ５３がそれぞれ第二開口部３０、第三開口部４９を開放する（開位置に移動する）。逆にトナーカートリッジＥが現像ユニットＤから取り外される過程で、第一シャッタ３７と第二シャッタ５３がそれぞれ第二開口部３０、第三開口部４９を閉鎖する（閉位置に移動する）。
【０１２１】
トナーカートリッジＥは、現像ユニットＤに対して少なくとも回転動作を伴う装着動作により装着される。具体的には、トナーカートリッジＥは直線的に現像ユニットＤに挿入された後、現像ユニットＤに対して回転して装着される。トナーカートリッジＥ装着時の回転動作に連動して第一シャッタ３７、第二シャッタ５３は閉位置から開位置に移動するものである。
【０１２２】
同様にトナーカートリッジＥは、現像ユニットＤから少なくとも回転動作を伴う取り外し動作によって取り外される。具体的には、トナーカートリッジＥは現像ユニットＤに対して回転した後、ほぼ直線的に現像ユニットＤから抜き出されて取り外される。
【０１２３】
トナーカートリッジＥの取り外し時の回転動作に伴って第一シャッタ３７、第二シャッタ５３が開位置に移動するものである。
【０１２４】
（シャッタの開放動作）
図１（ａ）、図１０（ｂ）、図１１（ａ）、図１１（ｂ）、図１２（ａ）、図１２（ｂ）を参照して、現像ユニットＤの第一シャッタ３７とトナーカートリッジＥの第二シャッタ５３の開放動作について説明する。図１２（ａ）は、第二開口部３０、第三開口部４９が開放された状態におけるトナーカートリッジＥの被挿入ガイド部４２と現像ユニットＤの枠体３５の側面図である。図１２（ｂ）は第二開口部３０、第三開口部４９が開放された状態におけるトナーカートリッジＥと現像ユニットＤの断面図である。
【０１２５】
本実施例は、トナーカートリッジＥが現像ユニットＤに対して位置決めされた状態（装着状態）において、第二開口部３０と第三開口部４９の相対的な位置が異なる位置を取ることができる。言い換えれば、現像ユニットＤにトナーカートリッジＥを取り付けた状態で、トナーカートリッジＥが回転することで少なくとも２つの位置（２つの状態）を取り得るように構成されている。
【０１２６】
トナーカートリッジＥの１つ目の位置は、第二開口部３０と第三開口部４９が重ならず、第一トナー収容部２８と第二トナー収容部４７ｔが非連通状態となる非連通位置である（図１０（ｂ））。この状態では、第一シャッタ３７は第二開口部３０を閉じる閉位置にある。
【０１２７】
トナーカートリッジＥの２つ目の位置は、第二開口部３０と第三開口部４９とが重なって、第一トナー収容部２８と第二トナー収容部４７ｔが連通状態となる連通位置である（図１２（ｂ））。この状態では、第一シャッタ３７は第二開口部３０を開く開位置にある。
【０１２８】
図１（ａ）に示すように、トナーカートリッジＥが現像ユニットＤの所定の位置に挿入されると、容器枠体４７ａの凸部４５と、第一シャッタ３７の穴部３７ａとが係合する。
【０１２９】
つまり、被挿入ガイド部４２が挿入ガイド部３５ｄによってガイドされることで、凸部４５が穴部３７ａに挿入し得るように、トナーカートリッジＥの挿入姿勢が規制されている。
【０１３０】
また、トナーカートリッジＥが現像ユニットＤの所定の位置に挿入されると、第二シャッタ５３の第一突当部５３ｃと現像ユニットＤの衝突面（開放力付与部）３９とが互いに対向する状態となる。つまり、被挿入ガイド部４２が挿入ガイド部３５ｄによってガイドされることで第一突当部５３ｃが衝突面３９に対向するようにトナーカートリッジＥの挿入姿勢が規制される。
【０１３１】
また、第二シャッタ５３の第二突当部５３ｘと現像ユニットＤのトナー受部３５ｘが互いに対向する状態となる。つまり、被挿入ガイド部４２が挿入ガイド部３５ｄによってガイドされることで第二シャッタ５３の第二突当部５３ｘと現像ユニットＤのトナー受部３５ｘが互いに対向するようにトナーカートリッジＥの挿入姿勢が規制される。
【０１３２】
図１（ａ）に示す装着位置から、トナーカートリッジＥは、ユーザによる操作部４４の操作により容器枠体４７ａが矢印ｅ方向に回転される。これにより、被挿入ガイド部４２と枠体３５との係合状態が、図１１（ａ）に示す状態を経て図１２（ａ）に示す第二開口部３０と第三開口部４９が重なった状態（不図示）となる。この際、トナーカートリッジＥ（容器枠体４７ａ）の回転軸線Ｓは、トナーカートリッジＥの長手方向と実質的に平行となっている。
【０１３３】
容器枠体４７ａが矢印ｅ方向に回転し始めると、図１０（ｂ）に示すように第一突当部５３ｃの矢印ｅ方向下流側に設けられた面５３ｃ１が現像ユニットＤに設けられた衝突面３９に突き当たる。これにより、面５３ｃ１は現像ユニットＤの衝突面３９から力Ｆ１を受ける。そして、図１１（ｂ）に示すように容器枠体４７ａの矢印ｅ方向への回転中は、面５３ｃ１は衝突面３９から力Ｆ１を受け続ける。よって第二シャッタ５３は容器枠体４７ａと共に矢印ｅ方向に回転しない。
【０１３４】
すなわち、衝突面３９は第二シャッタ５３を容器枠体４７ａと共に矢印ｅ方向へ回転する事を規制する。第一突当部５３ｃが受ける力Ｆ１は、第二シャッタ５３を閉位置から開位置へと動かすための力である。
【０１３５】
この状態から容器枠体４７ａをさらにトナーカートリッジＥを現像ユニットＤへ装着する方向（矢印ｅ方向）へ回転をさせる。すると、トナーを現像ユニットへ補給するための第三開口部４９が開かれる方向（開方向）へ容器枠体４７ａが移動する。
【０１３６】
言い換えると、第三開口部４９を開く方向に向けて第二シャッタが容器枠体４７ａに対して相対移動する。
【０１３７】
また、図１１（ｂ）に示すように容器枠体４７ａが矢印ｅ方向に回転すると、凸部４５の面４５ａと穴部３７ａの面３７ａ１が接触し、面４５ａから面３７ａ１に力Ｆ３が加わる。これにより第一シャッタ３７は容器枠体４７ａの回転方向（矢印ｅ方向）に押される。その結果、第一シャッタ３７が容器枠体４７ａの回動と連動して、第二開口部３０が開放される。容器枠体４７ａに設けられた凸部（突起部、突部）４５は、第一シャッタ３７に力を加えて第一シャッタ３７を開位置に移動させる開放力付与部（開位置移動部、開閉部材移動部）である。
【０１３８】
その後、図１２（ａ）、図１２（ｂ）に示すように、第一トナー収容部２８と第二トナー収容部４７が第三開口部４９、第二開口部３０を介して連通した状態となる。これにより、第二開口部３０と第三開口部４９の開放動作が完了する。
【０１３９】
このとき、突き当て部４２ａ及び被回転ガイド部４２ｂと回転ガイド部３５ｂが係合する。これにより、第二開口部３０、第三開口部４９が開放した状態で、トナーカートリッジＥは現像ユニットＤに対して矢印ｅ方向への相対的な移動が規制される。
【０１４０】
この状態で、トナーカートリッジＥの第二駆動伝達部４８は現像ユニットＤの駆動伝達部３８（図４（ａ）参照）と連結される（不図示）。これにより、第二トナー搬送部材４６を回転させる駆動力が現像ユニットＤから伝達可能な状態となる。
【０１４１】
以上より、トナーカートリッジＥの第二トナー収容部４７ｔから現像ユニットＤの第一トナー収容部２８へトナーｔの流通（供給）が可能となる。なお、本実施例では、トナーカートリッジＥの第二駆動伝達部４８へ駆動を伝達する駆動伝達部３８は現像ユニットＤ側に設けた。
【０１４２】
しかし、図１４に示すようにトナーカートリッジＥ側に第二駆動伝達部４８と噛みあう駆動伝達部３８を設けてもよい。ここで、図１４はトナーカートリッジＥ側に第二駆動伝達部４８と噛みあう駆動伝達部３８を設けた場合の駆動側からみた側面図である。図１４（ａ）は第三開口部４９（不図示）を第二シャッタ５２で閉じた状態である。また、図１４（ｂ）は第三開口部４９（不図示）を解放した状態である。
【０１４３】
図１４に示す変形例においては、トナーカートリッジＥに２つのギアが設けられている。駆動伝達部３８が現像ユニットＤから駆動力を受けるための駆動入力ギアである。そして第二駆動伝達部４８が第２のギア（伝達ギア）として、駆動入力ギア（駆動伝達部３８）が受けた駆動力を第二トナー搬送部材４６（図１２（ｂ）参照）に伝達する。第二駆動伝達部４８と第二トナー搬送部材４６は同軸状に配置されている。
【０１４４】
なお、ギア同士の噛みあいを歯合と呼び、突起が設けられたベルト等が係合する場合も、歯合するとみなす。
【０１４５】
（トナーカートリッジの挿入動作からシャッタ開放動作への切り替わり）
続いて、図１、図９（ａ）、図９（ｂ）を参照して、本実施例の特徴であるトナーカートリッジＥの挿入動作からシャッタ開放動作への切り替わり動作について説明をする。図９（ａ）は現像ユニットＤへの挿入完了時にトナーカートリッジＥに作用する力関係を示した側面図である。また、図９（ｂ）は突き当て部４２ａの他の構成例におけるトナーカートリッジＥに作用する力関係を示した側面図である。
【０１４６】
なお、便宜上被挿入ガイド３５ｄを透かした状態で見ている。
【０１４７】
図９（ａ）に示すように、トナーカートリッジＥはユーザ操作により現像ユニットＤへ挿入され、突き当て部４２ａと被突き当て部３５ａが突き当たる。このとき、トナーカートリッジＥには力Ｆ６と力Ｆ７が作用する。具体的には、ユーザによってトナーカートリッジＥを挿入する際に加えられる力Ｆ６が操作部４４に作用し、反作用として同等の力Ｆ７が被挿入ガイド部４２の突き当て部４２ａに作用する。
【０１４８】
ここで、トナーカートリッジＥの回転軸線（第二シャッタ部材５３の回転中心）Ｓを通るトナーカートリッジＥの装着方向と平行な平面（仮想面）ｍを考える。仮想面ｍから操作部４４までの腕の長さをｒ１、回転軸線（回転中心）Ｓから突き当て部４２ａまでの腕の長さをｒ２とする。このとき、トナーカートリッジＥの第三開口部４９（図５（ｄ）参照）の回転軸線Ｓに働くモーメントＭは、以下の式で表すことができる。
Ｍ＝Ｆ６×ｒ１＋Ｆ７×ｒ２
また、図９（ａ）に示すように、第二開口部３０、第三開口部４９を開放する際のトナーカートリッジＥ（容器枠体４７ａ）の回転方向は、トナーカートリッジＥを容器枠体４７ａの回転の軸線方向に沿って見たときに、反時計回りの矢印ｅ方向となる。ここで、本実施例では、突き当て部４２ａが容器枠体４７ａの回転中心Ｓを通り挿入方向（ガイド方向）ｆに平行な平面（仮想面）ｍ上に位置するため、ｒ２＝０となる。さらに、操作部４４は、第二開口部３０、第三開口部４９の開放方向（矢印ｅ方向）を正とすると、平面ｍよりも回転方向ｅの下流側に設けられている。
【０１４９】
したがって、Ｆ６×ｒ１＞０となるため、Ｍ＞０となる。
【０１５０】
Ｆ６×ｒ１＞０、Ｍ＞０となることにより、ユーザがトナーカートリッジＥを現像ユニットＤに挿入時に作用させる力Ｆ６は、第二開口部３０、第三開口部４９の開放方向ｅへ回転する力へ変換される。そのため、トナーカートリッジＥを方向ｆに挿入する方向の力Ｆ６により、トナーカートリッジＥ全体が回動されることになる。
【０１５１】
ここで、モーメントＭの値が大きいほどトナーカートリッジＥは回動し易くなる。言い換えると、モーメントＭの値が大きいほど、第二開口部３０及び第三開口部４９の開放動作がよりスムーズに操作し易くなる。
【０１５２】
ここで、モーメントＭをより大きくする構成としては、例えば、図９（ｂ）に示すように、突き当て部４２ａを設ける位置を変更することが考えられる。具体的には、突き当て部４２ａを容器枠体４７ａの回転中心Ｓを通り装着方向ｆと平行な仮想面ｍに対し、操作部４４とは反対側に離れた位置とする構成が考えられる。
【０１５３】
突き当て部４２ａに作用する力をＦ８、仮想面ｍから突き当て部４２ａまでの距離をｒ３とすると、回転中心Ｓに働くモーメントＭは、図９（ａ）の構成と同様に、以下の式で表せる。
【０１５４】
Ｍ＝Ｆ６×ｒ１＋Ｆ８×ｒ３
このとき、Ｆ８×ｒ３は、第二開口部３０及び第三開口部４９の開放方向ｅへのモーメントとなる。そのため、モーメントＭは大きくなり、容器枠体４７ａは開放方向ｅへ回動しやすくなる。なお、以上述べた突き当て部４２ａと操作部４４の位置関係は、突き当て部４３ａと操作部４４との関係に適用しても同様の効果を得ることができる。
【０１５５】
（シャッタの閉塞動作）
図１０（ａ）、図１０（ｂ）、図１１（ｂ）、図１２（ｂ）を参照して、現像ユニットＤの第一シャッタ３７とトナーカートリッジＥの第二シャッタ５３の閉塞動作について説明する。第一シャッタ３７と第二シャッタ５３の閉塞動作は、先述した開放動作と逆の動作で行われる。なお、第一シャッタ３７、第二シャッタ５３の閉塞方向は、第二駆動伝達部４８の設置側とは逆側から軸線方向にみて、容器枠体４７ａが時計回り（図１２（ｂ）矢印ｈ方向）に回転する方向である。
【０１５６】
まず、図１２（ｂ）の状態において、ユーザが操作部４４を操作し容器枠体４７ａを閉塞方向（矢印ｈ方向・閉方向）へ回動させる。すると、図１１（ｂ）に示すように容器枠体４７ａの凸部４５の面４５ｂが第一シャッタ３７の穴部３７ａの面３７ａ２に突き当たり、面４５ｂから面３７ａ２に力Ｆ４が加わる。これにより、第一シャッタ３７の面３７ａ２は、面４５ｂから矢印ｈ方向に力を受けて容器４７の回転動作と連動して回動する。そして第一シャッタ３７は、第二開口部３０を閉塞する閉位置にまで移動する。凸部４５の面４５ｂは、第一シャッタ３７に力を加え第一シャッタ３７を閉位置に移動させる閉塞力付与部である。
【０１５７】
また、図１２の状態においてユーザが操作部４４を操作し容器枠体４７ａを閉塞方向（矢印ｈ方向・閉方向）へ回動させる。容器枠体４７ａが矢印ｈ方向に回転し始めると、図１２（ｂ）に示すように第二シャッタ５３に設けられた第二突当部５３ｘの矢印ｈ方向下流側の面５３ｘ１がトナー受部３５ｘの矢印ｈ方向上流側の面３５ｘ１に突き当る。これにより、面５３ｘ１は、面３５ｘ１から力Ｆ２を受ける。このため、容器枠体４７ａの矢印ｈ方向への回転が進んでも、面５３ｘ１は面３５ｘ１から力Ｆ２を受け続ける。よって第二突当部５３ｘが設けられた延伸部５３ｙは容器枠体４７ａと共に矢印ｈ方向に回転しない。
【０１５８】
すなわち、トナー受部３５ｙは第二突当部５３ｘを容器枠体４７ａと共に矢印ｈ方向へ回転する事を規制する。第二突当部５３ｘが受ける力Ｆ２は、第二シャッタ５３を開位置から閉位置へと動かすための力である。
【０１５９】
そして、容器枠体４７ａを閉塞方向（矢印ｈ方向）へさらに回動させると、図１０（ａ）、図１０（ｂ）に示すようにトナーカートリッジＥは現像ユニットＤから抜き出し可能な状態になる。このとき第二開口部３０および、第三開口部４９は、それぞれ第一シャッタ３７、第二シャッタ５３により閉塞状態になっている。
【０１６０】
操作部４４は、トナーカートリッジＥが現像ユニットＤの装着位置に挿入された状態において、容器枠体４７ａの回転軸の方向に見て、回転中心を通りかつ挿入方向ｆに延びる仮想線に対し、容器枠体４７ａ回転方向下流側に位置する。操作部４４は、この位置において、ユーザの操作による容器枠体４７ａを回転させる力を受けるように構成されている。この位置は、操作部４４が挿入方向ｆに作用する力を受けると、容器枠体４７ａを現像ユニットＤに対して回転させるように働くモーメントが発生する位置である。
【０１６１】
別の見方をすれば、本実施例に係るトナーカートリッジＥは、この位置において、容器枠体４７ａを回転させる際に操作部４４に作用する力（図９、矢印Ｒ）に、挿入方向ｆの分力（図９、矢印Ｒｆ）が含まれるように構成されている。ユーザが挿入時において操作部４４に対して挿入方向ｆに力を加えていることで、トナーカートリッジＥが装着位置に到達した時点において、操作部４４には挿入方向ｆの力が作用している。すなわち、トナーカートリッジＥが装着位置に到達した時点において、操作部４４には容器枠体４７ａを回転させるのに必要な力の一部が既に作用した状態となっている。したがって、ユーザが操作部４４を挿入方向ｆへ押し込める動作により、操作部４４には、トナーカートリッジＥの装着位置への挿入に続いて容器枠体４７ａの回転時にも挿入方向ｆの力が作用し続けることになる。
【０１６２】
これにより、ユーザが操作部（つかみ部）４４を握ってトナーカートリッジＥを現像ユニットＤの装着位置まで挿入し、その後、容器枠体４７ａを回転させる一連の装着動作において、挿入動作から回転動作への力の変換がスムーズに行われる。したがって、ユーザはトナーカートリッジＥの現像ユニットＤへの挿入と第一シャッタ３７、第二シャッタ５３の開放動作を直感的に操作することができ、操作性を大幅に向上させることができる。
【０１６３】
また、本実施例は、容器枠体４７ａの回転軸の方向に見た場合に、操作部（つかみ部）４４が、トナーカートリッジＥが装着位置にあるときにおいて、突き当て部４２ａよりも回転中心から遠い位置で力を受けるように構成されている。これにより、容器枠体４７ａの回転時において、突き当て部４２ａと被突き当て部３５ａ、回転ガイド３５ｂとの摺動抵抗に対し、梃子の原理により、少ない力で容器枠体４７ａを回転させることができる。突き当て部４３ａと被突き当て部３６ａ、回転ガイド３６ｂとの摺動抵抗に対しても同様である。
【０１６４】
（延伸部、および突当部の変形例）
第二シャッタ５３に設けた延伸部、および突当部の変形例について図８を用いて説明する。図８（ａ）は延伸部５３ｙの変形例を示す、トナーカートリッジＥを現像ユニットＤの所定の位置に挿入した際の側断面図である。図８（ｂ）は第一突当部５３ｃの変形例を示す、トナーカートリッジＥを現像ユニットＤの所定の位置に挿入した際の側断面図である。
【０１６５】
本実施例において、図１に示すように長手方向に沿って見たとき延伸部５３ｙの断面形状は第二シャッタ５３の延長線上に円弧形状で設けている。しかし、延伸部５３ｙの形状は円弧形状に限定されるものではない。図８（ａ）に示すように長手方向に沿って見たとき、延伸部５３ｙの断面形状は多角形形状で構成してもよい。この場合も、トナーカートリッジＥを現像ユニットＤの所定の位置に挿入した際には、第二突当部５３ｘの矢印ｈ方向下流側の面５３ｘ１がトナー受部３５ｘ１の矢印ｈ方向上流側の面３５ｘ１と対向するようになっている。
【０１６６】
以上のように延伸部５３ｙは長手方向に沿って見たとき、第二シャッタ５３の延長線上に円弧形状で設ける形状に限定されない。
【０１６７】
本実施例において、第一突当部（開放力受部）５３ｃは第二シャッタ５３の先端に設け、第二突当部（閉塞力受部）５３ｘを第二シャッタ５３の延伸部５３ｙに設けた。しかし、図８に示すように第一突当部（開放力受部）５３ｃと第二突当部（閉塞力受部）５３ｘは共に延伸部５３ｙに設けてもよい。
【０１６８】
ここで図８はトナーカートリッジＥが現像ユニットＤの所定の位置に挿入されたときの状態を駆動側と長手方向逆から見た側断面図である。
【０１６９】
図８においては、第一突当部（開放力受部）５３ｃと第二突当部（閉塞力受部）５３ｘは互いの近傍に配置されており、両者はともに延伸部５３ｙの端部（すなわち第二シャッタ５３の後端）に配置されている。
【０１７０】
このとき、延伸部５３ｙに設けられた第二突当部５３ｘの矢印ｈ方向下流側の面５３ｘ１はトナー受部３５ｘの矢印ｈ方向上流側の面３５ｘ１と対向するようにトナーカートリッジＥの挿入姿勢が規制される。ユーザが操作部４４を操作し容器枠体４７ａを閉塞方向（矢印ｈ方向）へ回動させる。このとき、先の構成と同様に面５３ｘ１は面３５ｘ１に突き当たる。これにより、面５３ｘ１は、面３５ｘ１から力Ｆ２を受ける。このため、容器枠体４７ａの矢印ｈ方向への回転が進んでも、面５３ｘ１は面３５ｘ１から力Ｆ２を受け続ける。よって第二突当部５３ｘが設けられた第二シャッタ５３は容器枠体４７ａと共に矢印ｈ方向に回転しない。そのため、第二シャッタ５３は容器枠体４７ａに対し相対的に移動して、第三開口部４９を閉塞する閉位置に移動する。
【０１７１】
また、延伸部５３ｙに設けられた第一突当部５３ｃの矢印ｈ方向上流側の面５３ｃ１はトナー受部３５ｘの矢印ｈ方向下流側の面３５ｘ２と対向するようにトナーカートリッジＥの挿入姿勢が規制される。ユーザが操作部４４を操作し容器枠体４７ａを開放方向（矢印ｅ方向）へ回動させる。このとき、面５３ｃ１は面３５ｘ２に突き当たる。これにより、面５３ｃ１は、面３５ｘ２から力Ｆ５を受ける。このため、容器枠体４７ａの矢印ｈ方向への回転が進んでも、面５３ｃ１は面３５ｘ２から力Ｆ５を受け続ける。よって第一突当部５３ｃが設けられた第二シャッタ５３は容器枠体４７ａと共に矢印ｈ方向に回転しない。
そのため、第二シャッタ５３は容器枠体４７ａに対し相対的に移動して、第三開口部４９を閉塞する閉位置に移動する
以上のように第一突当部５３ｃは延伸部５３ｙに設けてもよい。
【０１７２】
（現像ユニットＤの変形例）
次に現像ユニットＤの変形例を図１５、図１６を用いて説明する。図１５は現像ユニットＤの第一シャッタ３７周囲を示す斜視図であり、（ａ）は第一シャッタ３７が開いた状態、（ｂ）は閉じた状態を示す。図１６は、トナーカートリッジＥおよび現像ユニットＤの断面図である。図１６の（ａ）はトナーカートリッジＥが現像ユニットＤへ挿入される過程を示し、（ｂ）はトナーカートリッジＥの挿入が完了された状態を示している。また図１６の（ｃ）は（ｂ）の一部を拡大した図である。
【０１７３】
この変形例では現像ユニットＤに、第一シャッタ３７が意図せず開くのを防止するためにロックアーム（受け入れ装置側ロック部材）６１を設けた。図１５に示すように、ロックアーム６１は現像ユニットＤに２つ設けられ、それぞれのロックアーム６１はその先端に爪部（係合部、突起部、ロック部）６１ａを有する。またロックアーム６１は弾性変形が可能である。
【０１７４】
ロックアーム６１の爪部６１ａは現像ユニットＤの長手方向において、第一シャッタ３７の穴部３７ａと同一位置に位置している。
【０１７５】
そして、第一シャッタ３７が第二開口部３０を閉じている状態において、爪部６１ａは穴部３７ａに進入し、穴部３７ａと係合する。これにより、爪部６１ａは第一シャッタ３７の移動をロックし、第一シャッタ３７が意図せずに開くことを抑制する。
【０１７６】
ここで現像ユニットＤにトナーカートリッジＥが挿入される過程で、図１６（ｂ）に示すようにトナーカートリッジＥに設けられた２つの凸部４５がそれぞれ対応する爪部６１ａに接触する。凸部４５が爪部６１ａに接触すると、ロックアーム６１が弾性変形することで、爪部６１ａが穴部３７ａから退避し第一シャッタ３７のロックが解除される。つまり第一シャッタ３７は移動可能になる。
【０１７７】
図１６（ｂ）に示した状態において、トナーカートリッジＥを現像ユニットＤに対して回転させると、上記したように爪部４５が穴部３７ａと係合することで、第一シャッタ３７が開位置に移動することができる。
【０１７８】
また、トナーカートリッジＥが現像ユニットＤから取り外される際には、穴部３７ａから凸部４５が退避する動作に連動して、爪部６１ａが穴部３７ａに進入し第一シャッタ３７をロックする（図１６（ａ）参照）。
【０１７９】
以上説明した本変形例では、トナーカートリッジＥの凸部４５は、ロックアーム６１によるロックを解除するための解除突起として働く。
【０１８０】
（まとめ）
本実施例では、容器４７（容器枠体４７ａ）の周囲を第二シャッタ５３が回転可能となるように構成した。これによりトナーカートリッジＥが現像ユニットＤ（受入装置）に対して回転する動作（回転動作）によって第二シャッタ５３を開閉できた。トナーカートリッジＥの回転動作で第二シャッタ５３を開閉する場合、トナーカートリッジＥの直線的な移動によって第二シャッタ５３を開閉する場合と比べて、第二シャッタ５３の開閉するために必要な空間（スペース）を小さくできる利点がある。
【０１８１】
つまり、トナーカートリッジＥが現像ユニットＤに対して回転する際には、トナーカートリッジＥはその姿勢を変えるだけで、トナーカートリッジＥの中心（回転軸線Ｓ）が現像ユニットＤに対してほとんど移動しない。つまり第二シャッタ５３の開閉動作時に、トナーカートリッジＥが現像ユニットＤの中で占める領域はほとんど変化しない。その結果、第二シャッタ５３の開閉のために現像ユニットＤに大きなスペースを設ける必要がない。つまり本実施例のようなトナーカートリッジＥを採用することで、トナーカートリッジＥを受入れる受入装置（現像ユニットＤ）や、受入装置が設けられる画像形成装置の小型化を図ることができる。
【符号の説明】
【０１８２】
１６  感光ドラム（像担持体）
１７  帯電ローラ
１９  クリーニングブレード
２４  現像ローラ（現像剤担持体）
２５  現像ブレード
２７  第一トナー搬送手段
２８  第一トナー収容部（現像剤収容部）
２９  第一開口部
３０  第二開口部（収容体開口・受入口、受入開口）
３１  現像室
３２  第一封止シール
３４  第一シャッタガイド部
３５  枠体
３５ａ  被突き当て部
３５ｄ  挿入ガイド部
３６ａ  被突き当て部
３６ｄ  挿入ガイド部
３７  第一シャッタ
３７ａ  穴部
３８  第一駆動伝達部
４２  被挿入ガイド部（被案内部、トナーカートリッジ側ガイド部）
４２ａ  突き当て部
４３  被挿入ガイド部（被案内部、トナーカートリッジ側ガイド部）
４３ａ  突き当て部
４４  操作部
４５  凸部（容器側係合部、開閉部材移動部、容器側突起）
４６  第二トナー搬送部材
４７  容器
４７ａ  容器枠体
４７ａ１  側壁
４７ａ２  側壁
４７ｔ  第二トナー収容部
４８  第二駆動伝達部
４９  第三開口部（容器開口・排出口、排出開口）
５３  第二シャッタ
５３ｃ  第一突当部
５３ｍ  シャッタ本体部
５３ｘ  第二突当部
５３ｙ  延伸部
５４  第二封止シール
５８  連通部
Ａ  画像形成装置
Ｃ  ドラムユニット
Ｄ  現像ユニット
Ｅ  トナーカートリッジ
ｆ  挿入方向
ｔ  トナー
【図１】
2018060189.tif 000003
【図２】
2018060189.tif 000004
【図３】
2018060189.tif 000005
【図４】
2018060189.tif 000006
【図５】
2018060189.tif 000007
【図６】
2018060189.tif 000008
【図７】
2018060189.tif 000009
【図８】
2018060189.tif 000010
【図９】
2018060189.tif 000011
【図１０】
2018060189.tif 000012
【図１１】
2018060189.tif 000013
【図１２】
2018060189.tif 000014
【図１３】
2018060189.tif 000015
【図１４】
2018060189.tif 000016
【図１５】
2018060189.tif 000017
【図１６】
2018060189.tif 000018
【図１７】
2018060189.tif 000019